【手続補正書】
【提出日】平成22年1月12日(2010.1.12)
【手続補正１】
【補正対象書類名】明細書
【補正対象項目名】特許請求の範囲
【補正方法】変更
【補正の内容】
【特許請求の範囲】
【請求項１】
露光されることにより潜像が形成される像担持体と、
前記像担持体を露光する露光手段と、
前記像担持体を帯電させる帯電手段と、
前記像担持体上の潜像を現像する現像手段と、
前記現像手段によって現像される画像濃度が予め設定された適正な濃度となるように、前記像担持体に対する現像バイアス、前記帯電手段に対する帯電条件及び前記露光手段に対する露光条件のうち少なくとも一つの新たな画像形成条件を算出する画像形成条件算出手段と、を備え、
前記画像形成条件算出手段によって新たな画像形成条件が算出された後の画像形成動作において、利用する画像形成条件を、前記新たな画像形成条件を算出する直前に使用されていた直前の画像形成条件から前記新たな画像形成条件に向けて漸増又は漸減させて画像形成動作を行なうことを特徴とする画像形成装置。
【請求項２】
前記新たな画像形成条件が算出された後の画像形成動作において利用する画像形成条件には、前記新たな画像形成条件が、前記直前の画像形成条件より小さい場合は、前記直前の画像形成条件の値から画像形成ごとに予め設定された調整値又は前記新たな画像形成条件と前記直前の画像形成条件との差分を予め定めた定数で割って算出された変化率を減算した値が利用され、前記新たな画像形成条件が、前記直前の画像形成条件より大きい場合は、前記直前の画像形成条件に画像形成ごとに前記調整値又は前記変化率を加算した値が利用される請求項１に記載の画像形成装置。
【請求項３】
前記直前の画像形成条件に対する前記調整値又は前記変化率の減算又は加算は、前記利用する画像形成条件が前記算出された新たな画像形成条件以下になるまで、又は、前記利用する画像形成条件が前記算出された新たな画像形成条件以上になるまで、前記画像形成動作毎に行なわれる請求項２に記載の画像形成装置。
【請求項４】
前記直前の画像形成条件に対して前記調整値又は前記変化率を減算していって、利用する画像形成条件が前記算出された画像形成条件以下になった場合、又は、前記直前の画像形成条件に対して前記調整値又は前記変化率を加算していって、利用する画像形成条件が前記算出された画像形成条件以上になった場合は、前記利用する画像形成条件として、前
記算出された新たな画像形成条件を用いる請求項３に記載の画像形成装置。
【請求項５】
前記新たな画像形成条件と前記直前の画像形成条件との差分が所定の範囲内である場合は、前記利用される画像形成条件には、前記新たな画像形成条件が利用される請求項１から４のいずれか１項に記載の画像形成装置。
【請求項６】
前記画像形成条件算出手段は、前記画像形成装置の電源がＯＮされた直後に、前記現像手段によって現像される画像濃度が予め設定された適正な濃度となるように新たな前記画像形成条件を算出し、算出された新たな画像形成条件を利用して画像形成を行う請求項１から５のいずれか１項に記載の画像形成装置。
【請求項７】
前記画像形成条件算出手段は、 前記画像形成装置が所定時間使用されていない状態の
後に、前記現像手段によって現像される画像濃度が予め設定された適正な濃度となるように新たな画像形成条件を算出し、該算出された新たな画像形成条件を利用して画像形成を行う請求項１から６のいずれか１項に記載の画像形成装置。
【請求項８】
少なくとも、前記像担持体と前記帯電手段とが一体的に支持された着脱自在なプロセスカートリッジを備え、
前記画像形成条件算出手段は、前記プロセスカートリッジの交換直後に、前記現像手段によって現像される画像濃度が予め設定された適正な濃度となるように新たな画像形成条件を算出し、該算出された新たな画像形成条件を利用して画像形成を行う請求項１から７のいずれか１項に記載の画像形成装置。
【請求項９】
前記画像形成条件算出手段は、形成されたトナー像の光学特性を検知する発光部と受光部とからなる光学式センサを備える請求項１から８のいずれか１項に記載の画像形成装置。
【請求項１０】
前記現像手段が、少なくとも２以上の色のトナー像を現像する現像手段である請求項１から９のいずれか１項に記載の画像形成装置。
【請求項１１】
露光されることにより潜像が形成される像担持体と、
前記像担持体を露光する露光手段と、
前記像担持体を帯電させる帯電手段と、
前記像担持体上の潜像を現像する現像手段と、
前記現像手段によって現像される画像濃度が予め設定された適正な濃度となるように、前記像担持体に対する現像バイアス、前記帯電手段に対する帯電条件及び前記露光手段に対する露光条件のうち少なくとも一つの新たな画像形成条件を算出する画像形成条件算出手段と、を備えた画像形成装置に適用される画像形成方法であって、
前記画像形成条件算出手段によって新たな画像形成条件が算出された後の画像形成動作において、利用する画像形成条件を、前記新たな画像形成条件を算出する直前に使用されていた直前の画像形成条件から前記新たな画像形成条件に向けて漸増又は漸減させて画像形成動作を行なうことを特徴とする画像形成方法。
【請求項１２】
前記新たな画像形成条件が算出された後の画像形成動作において利用する画像形成条件には、前記新たな画像形成条件が、前記直前の画像形成条件より小さい場合は、前記直前の画像形成条件の値から画像形成ごとに予め設定された調整値又は前記新たな画像形成条件と前記直前の画像形成条件との差分を予め定めた定数で割って算出された変化率を減算した値が利用され、前記新たな画像形成条件が、前記直前の画像形成条件より大きい場合は、前記直前の画像形成条件に画像形成ごとに前記調整値又は前記変化率を加算した値が利用される請求項１１に記載の画像形成方法。
【請求項１３】
前記直前の画像形成条件に対する前記調整値又は前記変化率の減算又は加算は、前記利用する画像形成条件が前記算出された新たな画像形成条件以下になるまで、又は、前記利用する画像形成条件が前記算出された新たな画像形成条件以上になるまで、前記画像形成動作毎に行なわれる請求項１２に記載の画像形成方法。
【請求項１４】
前記直前の画像形成条件に対して前記調整値又は前記変化率を減算していって、利用する画像形成条件が前記算出された画像形成条件以下になった場合、又は、前記直前の画像形成条件に対して前記調整値又は前記変化率を加算していって、利用する画像形成条件が前記算出された画像形成条件以上になった場合は、前記利用する画像形成条件として、前記算出された新たな画像形成条件を用いる請求項１３に記載の画像形成方法。
【請求項１５】
前記新たな画像形成条件と前記直前の画像形成条件との差分が所定の範囲内である場合は、前記利用される画像形成条件には、前記新たな画像形成条件が利用される請求項１１から１４のいずれか１項に記載の画像形成方法。
【請求項１６】
前記画像形成条件算出手段は、前記画像形成装置の電源がＯＮされた直後に、前記現像手段によって現像される画像濃度が予め設定された適正な濃度となるように新たな画像形成条件を算出し、算出された新たな画像形成条件を利用して画像形成を行う請求項１１から１５のいずれか１項に記載の画像形成方法。
【請求項１７】
前記画像形成条件算出手段は、前記画像形成装置が所定時間使用されていない状態の後に、前記現像手段によって現像される画像濃度が予め設定された適正な濃度となるように新たな画像形成条件を算出し、該算出された新たな画像形成条件を利用して画像形成を行う請求項１１から１６のいずれか１項に記載の画像形成方法。
【請求項１８】
少なくとも、前記像担持体と前記帯電手段とが一体的に支持された着脱自在なプロセスカートリッジを備え、
前記画像形成条件算出手段は、前記プロセスカートリッジの交換直後に、前記現像手段によって現像される画像濃度が予め設定された適正な濃度となるように新たな画像形成条件を算出し、該算出された新たな画像形成条件を利用して画像形成を行う請求項１１から１７のいずれか１項に記載の画像形成方法。
【請求項１９】
前記画像形成条件算出手段は、形成されたトナー像の光学特性を検知する発光部と受光部とからなる光学式センサを備える請求項１１から１８のいずれか１項に記載の画像形成方法。
【請求項２０】
前記現像手段が、少なくとも２以上の色のトナー像を現像する現像手段である請求項１１から１９のいずれか１項に記載の画像形成方法。 
【手続補正２】
【補正対象書類名】明細書
【補正対象項目名】００５７
【補正方法】変更
【補正の内容】
【００５７】
【課題を解決するための手段】
上記目的を達成するために、本発明に係る画像形成装置は、露光されることにより潜像が形成される像担持体と、前記像担持体を露光する露光手段と、前記像担持体を帯電させる帯電手段と、前記像担持体上の潜像を現像する現像手段と、
前記現像手段によって現像される画像濃度が予め設定された適正な濃度となるように、前記像担持体に対する現像バイアス、前記帯電手段に対する帯電条件及び前記露光手段に対する露光条件のうち少なくとも一つの新たな画像形成条件を算出する画像形成条件算出手段と、を備え、
前記画像形成条件算出手段によって新たな画像形成条件が算出された後の画像形成動作において、利用する画像形成条件を、前記新たな画像形成条件を算出する直前に使用されていた直前の画像形成条件から前記新たな画像形成条件に向けて漸増又は漸減させて画像形成動作を行なうことを特徴とする。
【手続補正３】
【補正対象書類名】明細書
【補正対象項目名】００５８
【補正方法】変更
【補正の内容】
【００５８】
また、前記新たな画像形成条件が算出された後の画像形成動作において利用する画像形成条件には、前記新たな画像形成条件が、前記直前の画像形成条件より小さい場合は、前記直前の画像形成条件の値から画像形成ごとに予め設定された調整値又は前記新たな画像形成条件と前記直前の画像形成条件との差分を予め定めた定数で割って算出された変化率を減算した値が利用され、前記新たな画像形成条件が、前記直前の画像形成条件より大きい場合は、前記直前の画像形成条件に画像形成ごとに前記調整値又は前記変化率を加算した値が利用される。
【手続補正４】
【補正対象書類名】明細書
【補正対象項目名】００５９
【補正方法】削除
【補正の内容】
【手続補正５】
【補正対象書類名】明細書
【補正対象項目名】００６０
【補正方法】変更
【補正の内容】
【００６０】
また、前記直前の画像形成条件に対する前記調整値又は前記変化率の減算又は加算は、前記利用する画像形成条件が前記算出された新たな画像形成条件以下になるまで、又は、前記利用する画像形成条件が前記算出された新たな画像形成条件以上になるまで、前記画像形成動作毎に行なわれる。
【手続補正６】
【補正対象書類名】明細書
【補正対象項目名】００６１
【補正方法】変更
【補正の内容】
【００６１】
また、前記直前の画像形成条件に対して前記調整値又は前記変化率を減算していって、利用する画像形成条件が前記算出された画像形成条件以下になった場合、又は、前記直前の画像形成条件に対して前記調整値又は前記変化率を加算していって、利用する画像形成条件が前記算出された画像形成条件以上になった場合は、前記利用する画像形成条件として、前記算出された新たな画像形成条件を用いる。
【手続補正７】
【補正対象書類名】明細書
【補正対象項目名】００６３
【補正方法】変更
【補正の内容】
【００６３】
また、前記画像形成条件算出手段は、前記画像形成装置の電源がＯＮされた直後に、前記現像手段によって現像される画像濃度が予め設定された適正な濃度となるように新たな前記画像形成条件を算出し、算出された新たな画像形成条件を利用して画像形成を行う。
【手続補正８】
【補正対象書類名】明細書
【補正対象項目名】００６４
【補正方法】変更
【補正の内容】
【００６４】
また、前記画像形成条件算出手段は、 前記画像形成装置が所定時間使用されていない
状態の後に、前記現像手段によって現像される画像濃度が予め設定された適正な濃度となるように新たな画像形成条件を算出し、該算出された新たな画像形成条件を利用して画像形成を行う。
【手続補正９】
【補正対象書類名】明細書
【補正対象項目名】００６５
【補正方法】変更
【補正の内容】
【００６５】
また、少なくとも、前記像担持体と前記帯電手段とが一体的に支持された着脱自在なプロセスカートリッジを備え、
前記画像形成条件算出手段は、前記プロセスカートリッジの交換直後に、前記現像手段によって現像される画像濃度が予め設定された適正な濃度となるように新たな画像形成条件を算出し、該算出された新たな画像形成条件を利用して画像形成を行う。
【手続補正１０】
【補正対象書類名】明細書
【補正対象項目名】００６６
【補正方法】削除
【補正の内容】
【手続補正１１】
【補正対象書類名】明細書
【補正対象項目名】００６７
【補正方法】削除
【補正の内容】
【手続補正１２】
【補正対象書類名】明細書
【補正対象項目名】００６８
【補正方法】削除
【補正の内容】
【手続補正１３】
【補正対象書類名】明細書
【補正対象項目名】００７１
【補正方法】変更
【補正の内容】
【００７１】
さらに、本発明に係る画像形成方法は、露光されることにより潜像が形成される像担持体と、
前記像担持体を露光する露光手段と、
前記像担持体を帯電させる帯電手段と、
前記像担持体上の潜像を現像する現像手段と、
前記現像手段によって現像される画像濃度が予め設定された適正な濃度となるように、前記像担持体に対する現像バイアス、前記帯電手段に対する帯電条件及び前記露光手段に対する露光条件のうち少なくとも一つの新たな画像形成条件を算出する画像形成条件算出手段と、を備えた画像形成装置に適用される画像形成方法であって、
前記画像形成条件算出手段によって新たな画像形成条件が算出された後の画像形成動作において、利用する画像形成条件を、前記新たな画像形成条件を算出する直前に使用されていた直前の画像形成条件から前記新たな画像形成条件に向けて漸増又は漸減させて画像形成動作を行なうことを特徴とする。
【手続補正１４】
【補正対象書類名】明細書
【補正対象項目名】００７２
【補正方法】変更
【補正の内容】
【００７２】
また、前記新たな画像形成条件が算出された後の画像形成動作において利用する画像形成条件には、前記新たな画像形成条件が、前記直前の画像形成条件より小さい場合は、前記直前の画像形成条件の値から画像形成ごとに予め設定された調整値又は前記新たな画像形成条件と前記直前の画像形成条件との差分を予め定めた定数で割って算出された変化率を減算した値が利用され、前記新たな画像形成条件が、前記直前の画像形成条件より大きい場合は、前記直前の画像形成条件に画像形成ごとに前記調整値又は前記変化率を加算した値が利用される。
【手続補正１５】
【補正対象書類名】明細書
【補正対象項目名】００７３
【補正方法】削除
【補正の内容】
【手続補正１６】
【補正対象書類名】明細書
【補正対象項目名】００７４
【補正方法】変更
【補正の内容】
【００７４】
また、前記直前の画像形成条件に対する前記調整値又は前記変化率の減算又は加算は、前記利用する画像形成条件が前記算出された新たな画像形成条件以下になるまで、又は、前記利用する画像形成条件が前記算出された新たな画像形成条件以上になるまで、前記画像形成動作毎に行なわれる。
【手続補正１７】
【補正対象書類名】明細書
【補正対象項目名】００７５
【補正方法】変更
【補正の内容】
【００７５】
また、前記直前の画像形成条件に対して前記調整値又は前記変化率を減算していって、利用する画像形成条件が前記算出された画像形成条件以下になった場合、又は、前記直前の画像形成条件に対して前記調整値又は前記変化率を加算していって、利用する画像形成条件が前記算出された画像形成条件以上になった場合は、前記利用する画像形成条件として、前記算出された新たな画像形成条件を用いる。
【手続補正１８】
【補正対象書類名】明細書
【補正対象項目名】００７７
【補正方法】変更
【補正の内容】
【００７７】
また、前記画像形成条件算出手段は、前記画像形成装置の電源がＯＮされた直後に、前記現像手段によって現像される画像濃度が予め設定された適正な濃度となるように新たな画像形成条件を算出し、算出された新たな画像形成条件を利用して画像形成を行う。
【手続補正１９】
【補正対象書類名】明細書
【補正対象項目名】００７８
【補正方法】変更
【補正の内容】
【００７８】
また、前記画像形成条件算出手段は、前記画像形成装置が所定時間使用されていない状態の後に、前記現像手段によって現像される画像濃度が予め設定された適正な濃度となるように新たな画像形成条件を算出し、該算出された新たな画像形成条件を利用して画像形成を行う。
【手続補正２０】
【補正対象書類名】明細書
【補正対象項目名】００７９
【補正方法】変更
【補正の内容】
【００７９】
また、少なくとも、前記像担持体と前記帯電手段とが一体的に支持された着脱自在なプロセスカートリッジを備え、
前記画像形成条件算出手段は、前記プロセスカートリッジの交換直後に、前記現像手段によって現像される画像濃度が予め設定された適正な濃度となるように新たな画像形成条件を算出し、該算出された新たな画像形成条件を利用して画像形成を行う。
【手続補正２１】
【補正対象書類名】明細書
【補正対象項目名】００８０
【補正方法】削除
【補正の内容】
【手続補正２２】
【補正対象書類名】明細書
【補正対象項目名】００８１
【補正方法】削除
【補正の内容】
【手続補正２３】
【補正対象書類名】明細書
【補正対象項目名】００８２
【補正方法】削除
【補正の内容】